【事件の表示】
　上記当事者間の特許第４１８８９４６号発明「マッサージ機」の特許無効審判事件について、次のとおり審決する。
【結　論】
　本件審判の請求は、成り立たない。
　審判費用は、請求人の負担とする。
【理　由】
Ｉ．手続の経緯
　本件特許第４１８８９４６号の請求項１に係る発明についての出願は、平成２０年９月１９日にその発明について特許の設定登録がなされた。
　これに対し、平成２２年４月２１日付けで請求人（株式会社フジ医療器）により無効審判の請求がなされ、平成２２年７月１６日に被請求人（ファミリー株式会社）より答弁書が提出され、平成２２年９月１７日に被請求人より口頭審理陳述要領書が提出され、平成２２年９月２１日に請求人より口頭審理陳述要領書（１）及び口頭審理陳述要領書（２）が提出された。
　そして、平成２２年１０月４日に口頭審理が行われ、平成２２年１０月２５日に請求人及び被請求人からそれぞれ上申書が提出された。
　
　
II．本件特許発明
　本件特許の請求項１に係る発明（以下、「本件特許発明」という。）は、本件特許明細書の特許請求の範囲の請求項１に記載された次のとおりのものである。
「【請求項１】
座部（３）及び背凭れ部（４）と、前記座部（３）の前部に上下揺動自在として設けられたフットレスト（５）と、を有し、前記フットレスト（５）は、上方へ揺動して前記座部（３）から前方へ突出している状態となることができ、前記フットレスト（５）は、使用者の脚にマッサージすることが可能な空気式のマッサージ具（５３，５８）を有している椅子型マッサージ機において、
前記フットレスト（５）が、脚の上側をマッサージする第一フットレスト部（８５）と脚の下側をマッサージする第二フットレスト部（８６）とに分割され、
前記座部（３）の前端下部に上下揺動自在として連結されている固定フレーム（９０）と、前記固定フレーム（９０）に対して前後に移動調整自在である第一スライドフレーム（９１）と、前記第一スライドフレーム（９１）に対して前後に移動調整自在である第二スライドフレーム（９２）とを有し、
前記第一フットレスト部（８５）は、前記第一スライドフレーム（９１）に固着され、前記第二フットレスト部（８６）は、前記第二スライドフレーム（９２）に固着されており、
前記フットレスト（５）が前方へ突出している状態で、前記第一フットレスト部（８５）及び前記第二フットレスト部（８６）が全体として前記座部（３）に対して前後に接離調整可能で、かつ、この第二フットレスト部（８６）が前記第一フットレスト部（８５）に対して前後方向に接離調整可能に構成されていることを特徴とする椅子型マッサージ機。」
　
　
III．請求人及び被請求人の主張の概略
Ａ．請求人の主張
　請求人は甲第１号証〜甲第１３号証を提出して以下のとおり主張している。
　本件の請求項１に係る特許発明は、甲第１号証〜甲第１１号証に記載された発明ないし周知技術に基づいて、出願前に当業者が容易に発明することができたものであるから、特許法第２９条第２項の規定により特許を受けることができないものであり、同法第１２３条第１項第２号により、無効とされるべきである。
　
〈証拠方法〉
甲第１号証：特開平１０−１９６８１７号公報
甲第２号証：特開平８−３２２８９５号公報
甲第３号証：米国特許第４２６６０１号明細書
甲第４号証：特開平１０−１５７５０１号公報
甲第５号証：米国特許第３０９６１１８号明細書
甲第６号証：特開昭６４−４３２１０号公報
甲第７号証：特開平９−１５４６６７号公報
甲第８号証：特開昭５０−１３６９９４号公報
甲第９号証：実公昭６０−７０４７号公報
甲第１０号証：特開平１０−５７４３７号公報
甲第１１号証：特開平２−２０６４０６号公報
　
　なお、口頭審理陳述要領書（１）とともに提出された甲第１４号証乃至甲第１６号証は、当業者がベッドに関する技術を椅子にも転用しうることが明らかであることを立証するために追加されたものであり、請求の理由を変更するものではない。
　
Ｂ．被請求人の主張
　これに対して、被請求人は以下のとおり主張している。
　本件発明は、甲第１号証〜甲第１１号証に記載された発明ないし周知技術に基づいて、当業者が容易に想到し得るものではなく、請求人の請求は棄却されるべきものである。
　
　
IV．当審の判断
Ａ．甲第１号証乃至甲第１１号証の記載事項
１．甲第１号証（特開平１０−１９６８１７号公報）には、以下の事項が図面とともに記載されている。
（１−ａ）「図１および図２に示すエアマッサージ装置１は、座部２と、この座部２の後縁部に前後に起倒調整可能に装着された背凭部３と、座部２の両側に設けられた肘掛部４,５と、座部２の前に取り付けられ且つ座部２の下側に収納可能なオットマン１０とから構成されている。」（段落【００１７】）
（１−ｂ）「オットマン１０は、図３および図４に示すように、座部２の前端部に回動可能に設けたフレーム１５と、フレーム１５のアーム部１６,１６に進退可能に装着したガイドレール１７,１７と、このガイドレール１７,１７に固定された足受部２０と、この足受部２０の挟持溝２１,２１に設けらた空気袋１３,１３等とを備えている。足受部２０はガイドレール１７,１７とともにフレーム１５のアーム部１６,１６に沿って左右方向（図２において）に移動可能となっており、フレーム１５は、図２に示す位置に固定できるとともに座部２の下側まで回動できるようになっている。」（段落【００２０】）
（１−ｃ）「そして、スイッチＳ1を操作して電磁弁４２を作動させると、オットマン１０が図２に示す位置にあることにより切換バルブ３０が図６に示すようにほぼ水平状態となっているので、エアコンプレッサ４１と空気袋１４とが連通し、空気袋１４が膨出していく。この空気袋１４の膨出により、足受部２０はスプリング２５の付勢力に抗して鎖線位置から左方向へ移動していく。足受部２０が丁度よい位置へきたらスイッチＳ1をオフにする。足受部２０が左方向へ行きすぎた場合には、スイッチＳ2を操作する。この操作により電磁弁４２が切換バルブ３０を外気に連通させるので、空気袋１４が収縮して足受部２０がスプリング２５の付勢力により右方向へ移動していく。このようにして、足受部２０の位置を調整する。」（段落【００３４】）
（１−ｄ）「スイッチＳ3の操作により第３モードが設定されると、図１２に示すように本体５１がほぼ４５度傾斜されるので、排出ポート５４〜５６が入力ポート５３と連通され、空気袋１１〜１３が膨張・収縮され、背中と大腿部とふくらはぎのマッサージが行われることとなる。」（段落【００３７】）
　
　上記（１−ｂ）の記載事項と図面図１４及び図１５の図示内容からみて、「オットマン」は、「座部」の前端部に回動可能に設けられているといえ、当該「オットマン」は上方へ揺動して「座部」から前方へ突出している状態となることができるといえる。
　
　上記（１−ｄ）の記載事項と図面図１、図２、図１４及び図１５の図示内容からみて、「オットマン」は使用者の脚にマッサージすることが可能な「空気袋」を有しているといえる。
　
　図面図１、図２、図１４及び図１５の図示内容からみて、「エアマッサージ装置」は椅子型であるといえる。
　
　上記（１−ｂ）及び（１−ｃ）の記載事項並びに図面図２の図示内容からみて、「左右方向（図２において）」は使用者からみて前後方向であるといえ、「オットマン」が前方に突出している状態で、「足受部」は「ガイドレール」とともに前後方向に移動可能であり、「座部」に対しても前後方向に位置を調整できるといえる。
　
　以上の記載事項及び図面の図示内容からみて、甲第１号証には、次の発明（以下、「甲第１号証記載の発明」）が記載されていると認められる。
「座部及び背凭部と、前記座部の前端部に回動可能に設けられたオットマンと、を有し、前記オットマンは、上方へ揺動して前記座部から前方へ突出している状態となることができ、前記オットマンは、使用者の脚にマッサージすることが可能な空気袋を有している椅子型のエアマッサージ装置において、
　前記オットマンが足受部を有し、
　前記座部の前端部に回動可能に設けられているフレームと、前記フレームのアーム部に沿って前後方向に移動可能に装着したガイドレールとを有し、
　前記足受部は、前記ガイドレールに固定されており、
　前記オットマンが前方へ突出している状態で、前記足受部が前記座部に対して前後方向に位置を調整できる椅子型のエアマッサージ装置。」
　
（２）甲第２号証（特開平８−３２２８９５号公報）には、その記載事項及び図面の図示内容からみて、上記甲第１号証記載の発明と同様の発明が記載されていると認められる。
　
（３）甲第３号証（米国特許第４２６６０１号明細書）には、以下の事項が図面とともに記載されている。
（３−ａ）「My invention consists of a chair or lounge having its back adjustably connected with the arm-rests by means of segments, which, movable with the back, are fitted to segments on said arm-rests, the segments being provided with means for holding the same in the adjusted positions of the back.」（第１頁左欄第１０行〜同第１６行）『本発明は、肘掛けと調節可能に接続された背もたれを有する椅子または寝椅子からなり、その接続は、背もたれの調節された位置において肘掛けを保持する手段を備える前記肘掛け上のセグメントに取り付けられた、背もたれとともに移動可能なセグメントによって行われる。』（『』内は当審による仮訳。以下同様。）
（３−ｂ）「T designates the foot-rest, formed of a number of slides fitted to each other in a manner telescopically, so as to be unfolded or adjusted in length, and when not in use to be folded within the seat-frame, said slides being longitudinally slotted so as to receive the ends of the transverse strengthening-bolts U, said ends serving to guide the slides. The innerslides are connected with the seat-frame, and the outer slide has at its forward end a bar V, which, when the foot-rest is folded within the seat-frame, serves to close the front of the opening which said rest occupies.」（第１頁右欄第９６行〜第２頁左欄第８行）『Ｔは、広げられるまたは長さが調節され、使用されないときには座部枠の中に折り畳まれるように伸縮自在な形で互いに取り付けられた、いくつかの摺動部で形成される脚掛けを示しており、前記摺動部には、横方向の強化ボルトＵの端部を受け入れるように長手方向に溝が付けられ、前記端部は摺動部を案内する役目を果たす。内側の摺動部は座部枠に接続され、外側の摺動部はその前方端部に、脚掛けが座部枠の中に折り畳まれたとき、前記脚掛けが占有する開口部の前部を閉じる働きをするバーＶを有する。』
　
　以上の記載事項及び図面の図示内容からみて、甲第３号証には、次のものが記載されていると認められる。
　椅子または寝椅子において、広げられるまたは長さが調節され、使用されないときには座部枠の中に折り畳まれるように伸縮自在な形で互いに取り付けられた、いくつかの摺動部で形成される脚掛けであり、当該脚掛けが座部枠の中に折り畳まれたとき、前記脚掛けが占有する開口部の前部を閉じる働きをするバーＶを有すること。
　
（４）甲第４号証（特開平１０−１５７５０１号公報）には、以下の事項が図面とともに記載されている。
（４−ａ）「　…　
【請求項５】前記座部の前端部に垂下状態と水平状態とに回動可能にレッグレスト本体を支持し、
　前記レッグレスト本体を前記前進する座部に連動させて前記垂下状態から前記水平状態に回動するレッグレスト駆動機構を備えたことを特徴とする請求項１、２、３または４記載の乗物用の座席装置。」（特許請求の範囲）
（４−ｂ）「また、座部３０の前進に連動して、レッグレスト駆動機構８０のアクチュエータ８７が駆動し、出没ロッド８８が没入状態から突出すると、レッグレスト本体７０を垂下状態から水平状態に回動する。
　レッグレスト本体７０が水平状態に回動すると、レッグレスト駆動機構８０の駆動アーム８１が中継リンク８３の一端部を後方へ引くようになり、それにより、中継リンク８３の他端部が前方へ変位して、サブレスト体７２がメインレスト体７１に対して前方へ伸びるようになる。それにより、座席をベッド状態にすると、レッグレスト本体７０全体も前方向へ大きく展開して、前後方向のベッド面積を自動的に広げることができる。」（段落【００３５】、【００３６】）
　
　以上の記載事項及び図面の図示内容からみて、甲第４号証には、次のものが記載されていると認められる。
　乗物用の座席装置において、座部の前端部に垂下状態と水平状態とに回動可能にレッグレスト本体を支持し、レッグレスト本体が水平状態に回動すると、サブレスト体がメインレスト体に対して前方へ伸びるようになること。
　
（５）甲第５号証（米国特許第３０９６１１８号明細書）には、以下の事項が図面とともに記載されている。
（５−ａ）「This invention relates to a reclining chair mechanism and more particularly to a mechanism incorporating a leg support platform and a movable extension thereof.」（第１頁第１欄第１０行〜同第１２行）『本発明は安楽椅子の機構に関し、より詳細には、脚支持台および移動可能なその延長部を含む機構に関する。』
（５−ｂ）「It will thus be seen that when the mechanism is in retracted position as shown in FIGURE3 of the drawings the leg supporting platform31 will be in vertical position beneath the front edge of the seat12 and the leg supporting extension56 will be in vertical position beneath the front edge of the seat12 and the leg supporting extension56 will be in vertical position immediately below the leg platform31 and immediately adjacent thereto. When the seat12 is slightly tilted as seen in FIGURE2 the mechanism acts to extend the leg platform31 upwardly and outwardly and simultaneously moves the leg platform extension56 forwardly relative thereto as occasioned by the actuating levers59 and 60 whose lower ends are controlled by the secondary actuating links63 and 64 so that they move at a relatively slower rate of travel than the angle brackets32 and 33 whose depending sections52 and 53 are pivoted to the actuating levers59 and 60 respectively. This leverage results in relatively rapid travel of the actuating links57 and 58 which are pivoted to the upper ends of the actuating levers59 and 60 and to the extension members54 and 55 which support the leg platform member56 and the same therefore moves upwardly at the same rate of travel as the leg supporting platform31 but also moves outwardly and away therefrom.」（第２頁第３欄第５７行〜同第４欄第４行）『したがって、図面の図３に示されるように機構が引っ込められた位置にあるとき、脚支持台３１は、座部１２の前縁の下で垂直位置になり、脚支持用の延長部５６は、脚台３１のすぐ下およびそのすぐ隣で垂直位置になることが理解されるであろう。図２に示されるように座部１２をわずかに傾けると、機構は脚台３１を上方外側へ延ばすと同時に、第２の作動連結部６３および６４によってその下側端部が制御される作動レバー５９および６０により、脚台延長部５６を脚台３１に対して前方に移動させ、その結果、それらは、付随的な部分５２および５３がそれぞれ作動レバー５９および６０に枢着された角ブランケット３２および３３よりも、相対的に遅い移動速度で移動するようになる。このてこの作用によって、作動レバー５９および６０の上側端部、ならびに脚台部材５６を支持する延長部材５４および５５に枢着された作動連結部５７および５８は、相対的に速く移動するようになり、したがって脚台部材５６は、脚支持台３１と同じ移動速度で上方へ移動するが、外側へ向かって脚支持台３１から離れるようにも移動する。』
　
　以上の記載事項及び図面の図示内容からみて、甲第５号証には、次のものが記載されていると認められる。
　安楽椅子において、座部の前縁の下で垂直位置にある脚支持台及び脚支持用の延長部を、前記座部をわずかに傾けると、前記脚支持台を上方外側へ延ばすと同時に前記脚支持用の延長部を前記脚支持台に対して前方に移動させること。
　
（６）甲第６号証（特開昭６４−４３２１０号公報）には、以下の事項が図面とともに記載されている。
（６−ａ）「２．特許請求の範囲
　（１）着座者の足を載置するフットレストを、基部側部材と可動側部材とに分割或いは積層構造によって前後方向に伸縮可能な構造とし、少なくとも座席のシートボトムと床面間に収納可能な載置面縮小手段を構成すると共に、該フットレストの基部側部材の後端部及び先端部を、それぞれシートボトム下部の脚間から電動駆動機構によって略該シートボトムの前方に出退するように構成した支持ロッドの先端部に枢着し、該支持ロッドの出退量の相違によって上記フットレストの載置面を突出時には略水平に担持し、且つ後退時には座席の脚部前面に沿って略鉛直に担持する担持方向変更支持手段を構成すると共に、該担持方向変更支持手段と前記フットレストの載置面縮小手段をリンク機構等によって協働せしめる構造にしたことを特徴とする座席用自動足乗せ装置。」（第１頁左下欄第４行〜同第２０行）
（６−ｂ）「先ず格納状態では、フットレストｌはシートフレーム４に担持され、座席脚部前面に略鉛直に位置しており、駆動用モータ２４が回動すると、手動クラッチ２３を介して回動連結されている駆動軸２２が回動し、中間歯車２１が両ピニオン１９，２０を回動するようになる。このピニオン１９，２０の回動によってそれぞれラック１７，１８が変位し、揺動プレート６，１０に枢設した上部支持ロッド８と下部支持ロッド１２がそれぞれ矢印Ａ，Ｂ方向に突出し、その先端にガイドブラケット１４を介して枢着したフットレスト１の基部側部材１３はシートボトム３の前方に移動せしめられると同時に上部支持ロッド８と下部支持ロッド１２の変位量の差によって載置面が略水平方向に向くように傾斜変位（矢印Ｄ）して成る。このときこの傾斜変位によって作動桿３４は連桿３０をガイドブラケット１４の長孔２９に沿って矢印Ｃ方向に摺動させるように作動するため、フットレスト１のリンク機構３２は梃部材２８の作用によって可動側部材２６をガイドレール２５と摺動レール２７の嵌合に沿って摺動せしめフットレストｌの前後方向の長さを伸長して足の載置面を拡張する。」（第３頁右上欄第４行〜同左下欄第６行）
　
　以上の記載事項及び図面の図示内容からみて、甲第６号証には、次のものが記載されていると認められる。
　座席用自動足乗せ装置において、着座者の足を載置するフットレストを、基部側部材と可動側部材とに分割構造によって前後方向に伸縮可能な構造とし、フットレストを、突出時には、前後方向の長さを伸長して足の載置面を拡張するとともに略水平に担持し、且つ後退時には座席の脚部前面に沿って略鉛直に担持すること。
　
（７）甲第７号証（特開平９−１５４６６７号公報）には、以下の事項が図面とともに記載されている。
（７−ａ）「【発明の属する技術分野】本発明は、座席の前端部にレッグレスト本体を垂れ下がった状態の格納姿勢と斜め前方へ引き上げた状態の展開姿勢とに揺動可能に支持して成る座席用のレッグレスト装置に関する。」（段落【０００１】）
（７−ｂ）「【発明の実施の形態】以下、図面に基づき本発明の実施の一形態を説明する。図１〜図１５は本発明の実施の一形態を示している。図１〜図７に示すように、航空機の客室内には多数の座席１０が列設されている。２つの座席１０が相互に隣接しており、各座席１０は、ボトムフレーム１１にボトムクッション１２が支持されて成り、各ボトムフレーム１１は台枠１３に支持されている。ボトムフレーム１１の前端部にはその両端に枢支ブラケット１４がそれぞれ固設され、一対の枢支ブラケット１４には、レッグレスト本体２０が垂れ下がった状態の格納姿勢と斜め前方へ引き上げた状態の展開姿勢とに揺動可能に支持されている。
　レッグレスト本体２０は、レッグフレーム２１の表面を溝状断面形のレッグクッション２２および表皮部材２３で被覆してなり、レッグフレーム２１の基端部の両端には、連結ブラケット２４が固着され、連結ブラケット２４が枢支ブラケット１４に回動可能に連結ボルトで支持されている。レッグフレーム２１の両側枠２５にはスライドレール２６がそれぞれ固着され、レッグクッション２２の溝内壁部にはガイド部材２７が固着され、スライドレール２６がガイド部材２７に嵌着されている。レッグフレーム２１の中央に架設した補強部材２８にはガイド部材２９が固着されている。ボトムフレーム１１の両側部に掛け渡された部材には連結ブラケット１５が固着され、連結ブラケット１５には、座席１０の下面に沿うように配したレッグレスト駆動シリンダ６０が連結されている。レッグレスト駆動シリンダ６０は後方へ出没して、レッグレスト本体２０を格納姿勢と展開姿勢とに揺動可能にする出力ロッド６１を有し、出力ロッド６１がロッド長調整可能に、かつ、回動可能に連結ブラケット１５連結されている。レッグレスト駆動シリンダ６０のシリンダ本体６２は、ボトムフレーム１１の前枠部材に形成された凹部１７を通って前方へ突出し、前方へ突出したシリンダ本体６２の前端部がレッグフレーム２１の基端枠に回動可能に連結されている。」（段落【００１２】、【００１３】）
（７−ｃ）「フットフレーム３１の裏面側にスライドレール３２が固着され、スライドレール３２がガイド部材２９に前後移動可能に嵌合している。フットフレーム３１の前縁部にはフットレスト本体３０が、フットフレーム３１の表面側に倒れた倒伏姿勢とフットフレーム３１の表面から起立した起立姿勢とに揺動可能に支持されている。フットフレーム３１には、スライド解除ペダル３５が、フットレスト本体３０の揺動中心を同じにして解除位置と拘束位置とに揺動可能に枢着されている。スライド解除ペダル３５には解除ケーブル３６の一端部が連結され、その他端部がフットレスト駆動シリンダ４０のシリンダ本体４２の後端部に延ばされている。シリンダ本体４２の後端部にプレート４５が連結され、プレート４５には解除レバー４６が揺動可能に支持されている。解除ケーブル３６はアウタケーブル３７とインナーワイヤ３８とから成り、アウタケーブル３７がプレート４５に連結され、インナーワイヤ３８が解除レバー４６の揺動端部に連結されている。インナーワイヤ３８は、スライド解除ペダル３５が踏まれることで引き込まれ、解除レバー４６が引き込まれて、シリンダ本体４２から突設された解除ボタン４７を押し込み、ロッド部材４１を出没不能なロック状態から出没可能なロック解除状態にするものである。
　次に、本実施の形態の作用について説明する。図示省略した操作ボタンを操作して、レッグレスト駆動シリンダ６０をロック解除状態にすると、出力ロッド６１が付勢力により後方へ突出し、レッグレスト本体２０が、枢支ブラケット１４の枢支軸を中心にして、図３において実線で示す垂れ下がった状態の格納姿勢から同じく図３において想像線で示す斜め前方へ引き上げた状態の展開姿勢に揺動し、使用状態になる。このとき、フットレスト駆動シリンダ４０のロッド部材４１がレッグフレーム２１側の連結ブラケット５４に連結されているから、フットレスト駆動シリンダ４０が回動する。この回動中心となるシリンダ本体４２の基端部は、レッグレスト本体２０の揺動中心である、枢支ブラケット１４の枢支軸から斜め後方へ大きく外れた位置に連結されているので、レッグレスト本体２０が格納姿勢から展開姿勢に揺動する際に、レッグレスト本体２０に対してフットレスト駆動シリンダ４０全体が相対的に後方へ移動するようになり、その結果、ロッド部材４１がリンク機構５０の第１リンク５１の一端部を後方へ引くようになる。
　第１リンク５１の一端部が後方へ引かれると、第１リンク５１の他端部が第２リンク５２を前方へ押し込み、それにより、フットフレーム３１が前方へ移動するようになり、フットレスト本体３０が収納位置から使用位置に突出する。
　それにより、フットレスト本体３０を特別な操作で使用位置に移動する必要がなくなり、操作が簡単になる。図１４に示すように、レッグレスト本体２０が格納姿勢から展開姿勢に揺動し、それに連動して、フットレスト本体３０が収納位置から使用位置に移動する際に、第１リンク５１の他端部は、最初は第２リンク５２を大きく押し込まず、最後に第２リンク５２を大きく押し込むようになるので、最初はフットレスト本体３０の移動量が少なく最後にその移動量が多くなるようになり、フットレスト本体３０の先端と座席１０の据付面との間にある程度の余裕を残しながら、レッグレスト本体２０が引き上げる。それにより、座席１０の据付面との干渉を防止することができる。
　また、レッグレスト本体２０が格納姿勢から展開姿勢に揺動した際に、レッグレスト駆動シリンダ６０は、大きく揺動しないで、座席１０の下面にほぼ沿った状態を維持するので、座席１０下方に配された必要な設備に干渉することがない。次に、例えば、図１５に示すように、スライド解除ペダル３５に足を掛けて踏むと、インナーワイヤ３８が、スライド解除ペダル３５が踏まれることで引き込まれ、解除レバー４６が引き込まれて、シリンダ本体４２から突設された解除ボタン４７を押し込み、ロッド部材４１が出没不能なロック状態から出没可能なロック解除状態になる。次に、フットレスト本体３０を前方へ押し出すようにすると、図９に示すように、フットレスト本体３０が、当初に突出した状態の使用位置において、さらに前後へ移動し、簡単な操作で、着座者の体に応じてフットレスト本体３０を使用位置を調整することができ、使い勝手が極めて良くなる。」（段落【００１７】〜【００２１】）
　
　上記（７−ｂ）の記載事項及び図面図１の図示内容からみて、レッグクッションはレッグレスト本体に対して前後に移動自在であるといえ、座席に対して前後に接離可能に構成されているといえる。
　
　上記（７−ｃ）の記載事項及び図面の図示内容からみて、フットフレームはレッグレスト本体に対して前後に移動調整自在であるといえ、フットフレームに支持されるフットレスト本体は、座席及びレッグクッションに対して前後方向に接離可能に構成されているといえる。
　
　以上の記載事項及び図面の図示内容からみて、甲第７号証には、次のものが記載されていると認められる。
　ボトムフレームの前端部に揺動可能に支持され、斜め前方へ引き上げた状態の展開姿勢となることができるレッグレスト本体を有する座席用のレッグレスト装置において、前記レッグレスト本体が、レッグクッションとフットレスト本体を備え、前記レッグレスト本体に対して前後に移動自在な前記レッグクッションと、前記レッグレスト本体に対して前後に移動調整自在なフットフレームを有し、前記フットレスト本体は前記フットフレームに支持されており、前記レッグレスト本体が前方へ引き上げた状態で、前記レッグクッションとフットレスト本体がそれぞれ座席に対して前後に接離可能で、かつ、フットレスト本体がレッグクッションに対して前後方向に接離可能に構成されていること。
　
（８）甲第８号証（特開昭５０−１３６９９４号公報）には、以下の事項が図面とともに記載されている。
（８−ａ）「２．特許請求の範囲
　身体の脚部、腕部等を抱持し得るように形成される抱持枠２７と、その抱持枠２７を開閉する開閉作動装置ｄと、前記抱持枠２７の相対向する内面に取付けられ、流体圧の給排により伸縮作動を繰り返すようにした少なくとも一対の指圧筒２８，２９と、前記抱持枠２７を支持する支持部材１５をその抱持枠２７とともに、前記指圧筒２８，２９の伸縮方向と略直交する方向に往復動させる抱持枠横往復動装置ｂとを少なくとも有する指圧装置。」（第１頁左下欄第３行〜同第１２行）
（８−ｂ）「第１図において１は利用者２が仰臥し得る指圧台で、この指圧台１には、利用者２の脚の大腿部イおよびふくらはぎ部ロを指圧できるようにした本発明指圧装置Ａが装備されている。
　次に主として第２ないし第４図により利用者２の大腿部イを指圧するようにした本発明装置の構成について説明すると、指圧台１に設けた案内レール３，３上には、移動フレーム４が、そこに軸支した転動輪５，５…を介して走行可能に支持されている。移動フレーム４の一端縁には連杆６が連結され、この連杆６の他端は、指圧台１に固定した取付板８に揺動自在に軸支１３した揺動杆７の上端が連結されている。取付板８には、原動機９が取付けられこの原動機９の原動軸に固着した円盤１８に突設した偏心ピン１１が前記揺動杆７に穿設した長孔１２内に挿入されている。したがつて原動機９を駆動すると、揺動杆７は軸支部１３回りに揺動して移動フレーム４を左右に往復移動させることができる。」（第１頁右下欄第１７行〜第２頁右上欄第１行）
（８−ｃ）「尚、図中Ｂ、Ｃは利用者の頸部、足部を指圧する他の指圧装置である。」（第３頁左上欄第１行〜同第２行）
（８−ｄ）「また特定箇所の指圧を終つて指圧位置を変える場合には、指圧筒２８，２９への圧力空気の給排および原動機２２の駆動を一旦停止した後、他の原動機９を駆動し円盤１０を所定角度だけ回転すれば、偏心ピン１１および長孔１２を介して揺動杆７が揺動し、連杆６を介して移動フレーム４が案内レール３，３上を走行し、これにより抱持枠２７も支持部材１５，１６とともに移動させることができ指圧位置の変更を行うことができる。そして再び前述の指圧操作を行う。」（第３頁左下欄第２行〜同第１１行）
　
　以上の記載事項及び図面の図示内容からみて、甲第８号証には、次のものが記載されていると認められる。
　指圧装置において、大腿部、ふくらはぎ部及び足部をそれぞれ指圧する各指圧装置の指圧位置を変更できること。
　
（９）甲第９号証（実公昭６０−７０４７号公報）には、以下の事項が図面とともに記載されている。
（９−ａ）「この考案は、捻座、打撲、筋腱等軟部組織の患部に当てたエアーバッグに圧力空気を送つてエアーバッグを間欠的に脹らませることにより患部を間欠的に圧迫して治療するエアーバッグ式圧迫治療器に関する。」（第１頁第１欄第１１行〜同第１５行）
（９−ｂ）「なお、上記の実施例では人体の肩部を圧迫治療するための殻体治具を使用したが、例えば、膝関節の筋腱等軟部組織の損傷に対しては、第５図に示すように、膝関節をほぼ包囲する殻体２１を形成し、その内側に内側側副靱帯部、外側側副靱帯部、或は膝蓋骨下部等の要所を圧迫する複数のエアーバッグ２２をそれぞれ配設して上記と同様の圧迫治療に使用することもできる。」（第２頁第４欄第５行〜同第１２行）
　
　図面第５図の図示内容からみて、内側に複数のエアーバッグを配設した殻体は、大腿部、膝関節、ふくらはぎ部、足首部のいずれかの患部に対応して形成され、いずれかの患部を圧迫して治療するといえる。
　
　以上の記載事項及び図面の図示内容からみて、甲第９号証には、次のものが記載されていると認められる。
　エアーバッグ式圧迫治療器において、内側に複数のエアーバッグを配設した殻体により大腿部、膝関節、ふくらはぎ部、足首部のいずれかの患部を間欠的に圧迫して治療すること。
　
（１０）甲第１０号証（特開平１０−５７４３７号公報）には、以下の事項が図面とともに記載されている。
（１０−ａ）「【発明の属する技術分野】本発明は、マッサージ機本体に支持された使用者の被施療部を、前記本体に内蔵されてエアーの給排気にしたがい膨脹・収縮する袋体によってマッサージするマット式または椅子式等のエアーマッサージ機に関する。」（段落【０００１】）
（１０−ｂ）「マット部１１の各部材１４〜１９間に形成された空間には、気密性の各種のマッサージ用袋体が図２に示されるように配置されている。各種袋体としては、例えば肩用袋体３１、背中用袋体３２、尻用袋体３３、左脚膝部用袋体３４、右脚膝部用袋体３５、左脚脛用袋体３５、および右脚脛用袋体３７などが使用される。」（段落【００１９】）
（１０−ｃ）「左脚用膝部袋体３４および左脚用脛部袋体３６は、マット部１１上に横たわった人体Ａの左脚の膝部および脹ら脛部に夫々対応して、マット部１１の幅方向に延びた配置で台板１４に固定されている。同様に、右脚用膝部袋体３５および右脚用脛部袋体３７は、マット部１１上に横たわった人体Ａの右脚の膝部および脹ら脛部に夫々対応して、マット部１１の幅方向に延びた配置で台板１４に固定されている。
　これら袋体３４〜３７は、いずれも一枚の分割形袋で形成されており、各袋は肩用袋体３１となすものと同様の構成であるから、その分割形袋の構成および台板１４への取付け構造についての説明は省略する。これら袋体３４〜３７の左側袋部ＢＬおよび右側袋部ＢＲは、同期して膨脹・収縮されて、膝部または脹ら脛部をその両側から掴んで揉むようなマッサージを施すものである。」（段落【００２５】〜【００２６】）
　
　以上の記載事項及び図面の図示内容からみて、甲第１０号証には、次のものが記載されていると認められる。
　マット式または椅子式等のエアーマッサージ機において、マッサージ用袋体として、左脚膝部用袋体、右脚膝部用袋体、左脚脛用袋体、および右脚脛用袋体が使用されること。
　
（１１）甲第１１号証（特開平２−２０６４０６号公報）には、以下の事項が図面とともに記載されている。
（１１−ａ）「２．特許請求の範囲
１）座体と、この座体に軸支されかつ腰受け体角度調整部材により回動する腰受け体と、この腰受け体に伸縮動可能に取付けられかつ背もたれ体角度調整部材により回動する背もたれ体と、この背もたれ体に伸縮動可能に取付けられかつ頭受け体角度調整部材により回動する頭受け体と、前記座体に伸縮動可能に取付けられかつ第１の足受け体角度調整部材により回動する第１の足受け体と、この第１の足受け体に伸縮動可能に取付けられかつ第２の足受け体角度調整部材により回動する第２の足受け体とから成るベッド式椅子。」（第１頁左下欄第４行〜同第１５行）
（１１−ｂ）「「産業上の利用分野」
　本発明はベッド式椅子に関し、病院などの治療用として、または理容や美容などの業務用として、さらに、業務や家庭用として使用される。」（第１頁右下欄第１０行〜同第１３行）
（１１−ｃ）「すなわち、３３は座体４の他側面（第２図を基準とした場合右側の側面）に第３の水平杆３４を介し伸縮動可能に設けられた第１の足受け体である。この第１の足受け体３３は第２図で示すように椅子の状態の時は人体の頸部と当接する。この第１の足受け体３３は、大支持板３５、小支持板３６、メネジ孔を有する横杆３７、小支持板３６に軸架された横杆３８、横杆３７と螺合する第１の足受け体用螺杆３９とから成る第１の足受け体角度調整部材４０により、前後あるいは上下方向へ１００度程度回動する。
　４１は第１の足受け体３３の他側面（第２図を基準とした場合下側の側面）に第４の水平杆４２を介し伸縮動可能に設けられた第２の足受け体である。この第２の足受け体４１は、大支持板４３、小支持板４４、メネジ孔を有する横杆４５、小支持板に軸架された柱体４６、横杆４５と螺合する第２の足受け体用螺杆４７とから成る第２の足受け体角度調整部材４８により、前後あるいは上下方向へ１００度程度回動する。」（第３頁右上欄第１９行〜同左下欄第１７行）
（１１−ｄ）「また８０は第１の足受け体伸縮動手段で、この第１の足受け体伸縮動手段８０は、座体４に横方向（第５図を基準）に固設された駆動モータ８１と、この駆動モータ８１の突出する出力軸に設けられた駆動歯車８２と、この駆動歯車８２とかみ合うように座体に並設された歯車８３と、この歯車８３と螺合し取付端部が第３の水平杆３４の中央部に取付けられた螺杆８４の左右に平行に設けられた２本の案内杆８５とかに成る。
　さらに、９０は第２の足受け体伸縮動手段４１で、この第２の足受け体伸縮動手段４１は、第１の足受け体３３に横方向（第５図を基準）に固設された駆動モータ９１と、この駆動モータ９２の突出する出力軸に設けられた駆動歯車９２と、この駆動歯車９２とかみ合うように第１の足受け体３３に並設された歯車９３と、この歯車９３と螺合し取付端部が第４の水平杆４２の中央部に取付けられた螺杆９４と、この螺杆９４の左右に平行に設けられた２本の案内杆９５とから成る。」（第４頁左上欄第１１行〜同右上欄第９行）
　
　以上の記載事項及び図面の図示内容からみて、甲第１１号証には、次のものが記載されていると認められる。
　病院などの治療用として使用されるベッド式椅子において、座体に伸縮動可能に取付けられかつ第１の足受け体角度調整部材により回動する第１の足受け体と、この第１の足受け体に伸縮動可能に取付けられかつ第２の足受け体角度調整部材により回動する第２の足受け体を備えること。
　
Ｂ．対比・判断
（１）本件特許発明と甲第１号証記載の発明との対比
　本件特許発明と甲第１号証記載の発明とを対比すると、その構造又は機能からみて、甲第１号証記載の発明の「座部」は本件特許発明の「座部」に相当し、以下同様に「背凭部」は「背凭れ部」に、「座部の前端部」は「座部の前部」に、「回動可能」は「上下揺動自在」に、「オットマン」は「フットレスト」に、「空気袋」は「空気式のマッサージ具」に、「椅子型のエアマッサージ装置」は「椅子型マッサージ機」に、「フレーム」は「固定フレーム」に、「前後方向」は「前後」に、「固定」は「固着」に、それぞれ相当する。
　
　また、甲第１号証の「座部の前端部に回動可能に設けられているフレームと、前記フレームのアーム部に沿って前後方向に移動可能に装着したガイドレールとを有し、
　前記足受部は、前記ガイドレールに固定されており、
　前記オットマンが前方へ突出している状態で、前記足受部が前記座部に対して前後方向に位置を調整できる」は、座部の前端下部に上下揺動自在として連結されている固定フレームと、前記固定フレームに対して前後に移動調整自在であるフレーム部材を有し、フットレストは、前記フレーム部材に固着されており、前記フットレストが前方へ突出している状態で、前記フットレストが前記座部に対して前後に接離調整可能に構成されている点で、本件特許発明の「座部の前端下部に上下揺動自在として連結されている固定フレームと、前記固定フレームに対して前後に移動調整自在である第一スライドフレームと、前記第一スライドフレームに対して前後に移動調整自在である第二スライドフレームとを有し、
前記第一フットレスト部は、前記第一スライドフレームに固着され、前記第二フットレスト部は、前記第二スライドフレームに固着されており、
前記フットレストが前方へ突出している状態で、前記第一フットレスト部及び前記第二フットレスト部が全体として前記座部に対して前後に接離調整可能で、かつ、この第二フットレスト部が前記第一フットレスト部に対して前後方向に接離調整可能に構成されている」と共通する。
　
　よって、本件特許発明と甲第１号証記載の発明とは、
「座部及び背凭れ部と、前記座部の前部に上下揺動自在として設けられたフットレストと、を有し、前記フットレストは、上方へ揺動して前記座部から前方へ突出している状態となることができ、前記フットレストは、使用者の脚にマッサージすることが可能な空気式のマッサージ具を有している椅子型マッサージ機において、
　前記座部の前端下部に上下揺動自在として連結されている固定フレームと、前記固定フレームに対して前後に移動調整自在であるフレーム部材を有し、
　前記フットレストは、前記フレーム部材に固着されており、
　前記フットレストが前方へ突出している状態で、前記フットレストが前記座部に対して前後に接離調整可能に構成されている椅子型マッサージ機。」という点で一致し、次の点で相違する。
　
（相違点）
　本件特許発明は、フットレストが脚の上側をマッサージする第一フットレスト部と脚の下側をマッサージする第二フットレスト部とに分割され、固定フレームに対して前後に移動調整自在である第一スライドフレームと、前記第一スライドフレームに対して前後に移動調整自在である第二スライドフレームとを有し、前記第一フットレスト部は、前記第一スライドフレームに固着され、前記第二フットレスト部は、前記第二スライドフレームに固着されており、前記フットレストが前方へ突出している状態で、前記第一フットレスト部及び前記第二フットレスト部が全体として前記座部に対して前後に接離調整可能で、かつ、この第二フットレスト部が前記第一フットレスト部に対して前後方向に接離調整可能に構成されているのに対して、甲第１号証記載の発明は、フットレストが分割されておらず、分割された第一フットレスト及び第二フットレストをそれぞれ固着する第一スライドフレーム及び第二スライドフレームを有しておらず、前記第二フットレスト部が前記第一フットレスト部に対して前後方向に接離調整可能に構成されていない点で相違する。
　
（２）判断
（ア）甲第３号証には、椅子または寝椅子において、広げられるまたは長さが調節され、使用されないときには座部枠の中に折り畳まれるように伸縮自在な形で互いに取り付けられた、いくつかの摺動部で形成される脚掛けであり、当該脚掛けが座部枠の中に折り畳まれたとき、前記脚掛けが占有する開口部の前部を閉じる働きをするバーＶを有することが記載されている。
　
　しかし、甲第３号証に記載されたものは、本件特許発明の「座部の前端下部に上下揺動自在として連結されている固定フレーム」を有する構造ではない。また、甲第３号証に記載されたものは、マッサージ機能を有するフットレストに関するものではないので、マッサージ機能を有するフットレストを脚の上側をマッサージする第一フットレスト部と脚の下側をマッサージする第二フットレスト部とに分割することは、甲第３号証には記載されていない。さらに、審判請求書で請求人が主張するように上記甲第３号証に記載されたものから、「フットレストを使用者の脚の長さに応じて分割調整する構成は」「優に周知技術というべき事項である」としても、フットレストとともにマッサージ機能も分割することを示唆するとはいえない。
　
　そこで、請求人が「使用者の所望位置をマッサージするためにエアバッグを複数配設する構成も」「周知技術というべき事項」と主張する根拠となる甲第８号証乃至甲第１０号証について検討する。
　まず、甲第８号証には、指圧装置において、大腿部、ふくらはぎ部及び足部をそれぞれ指圧する各指圧装置の指圧位置を変更できることが記載されている。
　しかし、甲第８号証には、マッサージ機能を有するフットレストを脚の上側をマッサージする第一フットレスト部と脚の下側をマッサージする第二フットレスト部とに分割することは記載されていない。また、本件特許発明は、座部の前部に上下揺動自在として設けられたフットレストが、脚の上側をマッサージする第一フットレスト部と脚の下側をマッサージする第二フットレスト部に分割され、第一フットレスト部及び第二フットレスト部が全体として座部に対して前後に接離調整可能で、かつ、第二フットレスト部が第一フットレスト部に対して前後方向に接離調整可能に構成されていることから、本件特許発明は、使用者の膝部より下方で、前後方向に接離調整可能な第一フットレスト部及び第二フットレスト部により２箇所マッサージするものである。これに対し、甲第８号証に記載されたものは、指圧位置を変更できる指圧装置を複数有し、使用者の膝部より下方のふくらはぎ部と足部を指圧するものの、足部を指圧する指圧装置は前後方向に接離調整可能なものではない。よって、甲第８号証に記載されたものには、使用者の膝部より下方で、前後方向に接離調整可能なフットレストにより２箇所マッサージすることの記載も示唆もない。
　次に、甲第９号証には、エアーバッグ式圧迫治療器において、内側に複数のエアーバッグを配設した殻体により大腿部、膝関節、ふくらはぎ部、足首部のそれぞれ患部を間欠的に圧迫して治療することが記載されている。
　しかし、甲第９号証には、マッサージ機能を有するフットレストを脚の上側をマッサージする第一フットレスト部と脚の下側をマッサージする第二フットレスト部とに分割することは記載されていない。また、本件特許発明は、上述したように、使用者の膝部より下方で、前後方向に接離調整可能な第一フットレスト部及び第二フットレスト部により２箇所マッサージするものである。これに対して、甲第９号証に記載されたものは、使用者の膝部より下方で、２つの殻体により、同時に２箇所マッサージするものとはいえず、２つの殻体同士を使用者の脚の伸長方向（前後方向）に接離調整可能であるともいえない。よって、甲第９号証に記載されたものには、使用者の膝部より下で、前後方向に接離調整可能なフットレストにより２箇所マッサージすることの記載も示唆もない。
　次に、甲第１０号証には、マット式または椅子式等のエアーマッサージ機において、マッサージ用袋体として、左脚膝部用袋体、右脚膝部用袋体、左脚脛用袋体、および右脚脛用袋体が使用されることが記載されている。
　しかし、甲第１０号証には、マッサージ機能を有するフットレストを脚の上側をマッサージする第一フットレスト部と脚の下側をマッサージする第二フットレスト部とに分割することは記載されていない。また、本件特許発明は、上述したように、使用者の膝部より下方で、前後方向に接離調整可能な第一フットレスト部及び第二フットレスト部により２箇所マッサージするものである。これに対して、甲第１０号証に記載されたものは、使用者の膝部より下では、１箇所でのみマッサージするものである。よって、甲第１０号証に記載されたものには、使用者の膝部より下方で、前後方向に接離調整可能なフットレストにより２箇所マッサージすることの記載も示唆もない。
　よって、請求人が主張するように「使用者の所望位置をマッサージするためにエアバッグを複数配設する構成も」「周知技術というべき事項」であるとしても、甲第８号証乃至甲第１０号証に記載されたものには、マッサージ機能を有するフットレストを脚の上側をマッサージする第一フットレスト部と脚の下側をマッサージする第二フットレスト部とに分割することの記載も示唆もない。
　
　したがって、甲第３号証に記載されたものには、甲第１号証記載の発明において、マッサージ機能を有するフットレストを脚の上側をマッサージする第一フットレスト部と脚の下側をマッサージする第二フットレスト部とに分割することの記載も示唆もなく、甲第８号証乃至甲第１０号証に記載されたものにも、甲第１号証記載の発明において、マッサージ機能を有するフットレストを脚の上側をマッサージする第一フットレスト部と脚の下側をマッサージする第二フットレスト部とに分割することの記載も示唆もない。
　
（イ）次に、甲第４号証には、乗物用の座席装置において、座部の前端部に垂下状態と水平状態とに回動可能にレッグレスト本体を支持し、レッグレスト本体が水平状態に回動すると、サブレスト体がメインレスト体に対して前方へ伸びるようになることが記載されている。
　
　しかし、甲第４号証に記載されたものは、本件特許発明の「第二スライドフレーム」を有する構造ではない。また、甲第４号証に記載されたものは、マッサージ機能を有するフットレストに関するものでもないので、マッサージ機能を有するフットレストを脚の上側をマッサージする第一フットレスト部と脚の下側をマッサージする第二フットレスト部とに分割することは、甲第４号証には記載されていない。さらに、審判請求書で請求人が主張するように上記甲第４号証に記載されたものから、「フットレストを使用者の脚の長さに応じて分割調整する構成は」「優に周知技術というべき事項である」としても、フットレストとともにマッサージ機能も分割することを示唆するとはいえない。
　
　さらに、請求人が「使用者の所望位置をマッサージするためにエアバッグを複数配設する構成も」「周知技術というべき事項」と主張する根拠となる甲第８号証乃至甲第１０号証に記載されたものついても、上述したように、マッサージ機能を有するフットレストを脚の上側をマッサージする第一フットレスト部と脚の下側をマッサージする第二フットレスト部とに分割することの記載も示唆もない。
　
　したがって、甲第４号証に記載されたものには、甲第１号証記載の発明において、マッサージ機能を有するフットレストを脚の上側をマッサージする第一フットレスト部と脚の下側をマッサージする第二フットレスト部とに分割することの記載も示唆もなく、甲第８号証乃至甲第１０号証に記載されたものにも、甲第１号証記載の発明において、マッサージ機能を有するフットレストを脚の上側をマッサージする第一フットレスト部と脚の下側をマッサージする第二フットレスト部とに分割することの記載も示唆もない。
　
（ウ）次に、甲第５号証には、安楽椅子において、座部の前縁の下で垂直位置にある脚支持台及び脚支持用の延長部を、前記座部をわずかに傾けると、前記脚支持台を上方外側へ延ばすと同時に前記脚支持用の延長部を前記脚支持台に対して前方に移動させることが記載されている。
　
　しかし、甲第５号証に記載されたものは、本件特許発明の「座部の前端下部に上下揺動自在として連結されている固定フレームと、前記固定フレームに対して前後に移動調整自在である第一スライドフレームと、前記第一スライドフレームに対して前後に移動調整自在である第二スライドフレームとを有」する構造ではない。また、甲第５号証に記載されたものは、マッサージ機能を有するフットレストに関するものでもないので、マッサージ機能を有するフットレストを脚の上側をマッサージする第一フットレスト部と脚の下側をマッサージする第二フットレスト部とに分割することは、甲第５号証には記載されていない。さらに、審判請求書で請求人が主張するように上記甲第５号証に記載されたものから、「フットレストを使用者の脚の長さに応じて分割調整する構成は」「優に周知技術というべき事項である」としても、フットレストとともにマッサージ機能も分割することを示唆するとはいえない。
　
　さらに、請求人が「使用者の所望位置をマッサージするためにエアバッグを複数配設する構成も」「周知技術というべき事項」と主張する根拠となる甲第８号証乃至甲第１０号証に記載されたものついても、上述したように、マッサージ機能を有するフットレストを脚の上側をマッサージする第一フットレスト部と脚の下側をマッサージする第二フットレスト部とに分割することの記載も示唆もない。
　
　したがって、甲第５号証に記載されたものには、甲第１号証記載の発明において、マッサージ機能を有するフットレストを脚の上側をマッサージする第一フットレスト部と脚の下側をマッサージする第二フットレスト部とに分割することの記載も示唆もなく、甲第８号証乃至甲第１０号証に記載されたものにも、甲第１号証記載の発明において、マッサージ機能を有するフットレストを脚の上側をマッサージする第一フットレスト部と脚の下側をマッサージする第二フットレスト部とに分割することの記載も示唆もない。
　
（エ）次に、甲第６号証には、座席用自動足乗せ装置において、着座者の足を載置するフットレストを、基部側部材と可動側部材とに分割構造によって前後方向に伸縮可能な構造とし、フットレストを、突出時には、前後方向の長さを伸長して足の載置面を拡張するとともに略水平に担持し、且つ後退時には座席の脚部前面に沿って略鉛直に担持することが記載されている。
　
　しかし、甲第６号証に記載されたものは、本件特許発明の「座部の前端下部に上下揺動自在として連結されている固定フレームと、前記固定フレームに対して前後に移動調整自在である第一スライドフレームと、前記第一スライドフレームに対して前後に移動調整自在である第二スライドフレームとを有」する構造ではない。また、甲第６号証に記載されたものは、マッサージ機能を有するフットレストに関するものでもないので、マッサージ機能を有するフットレストを脚の上側をマッサージする第一フットレスト部と脚の下側をマッサージする第二フットレスト部とに分割することは、甲第６号証には記載されていない。さらに、審判請求書で請求人が主張するように上記甲第６号証に記載されたものから、「フットレストを使用者の脚の長さに応じて分割調整する構成は」「優に周知技術というべき事項である」としても、フットレストとともにマッサージ機能も分割することを示唆するとはいえない。
　
　さらに、請求人が「使用者の所望位置をマッサージするためにエアバッグを複数配設する構成も」「周知技術というべき事項」と主張する根拠となる甲第８号証乃至甲第１０号証に記載されたものついても、上述したように、マッサージ機能を有するフットレストを脚の上側をマッサージする第一フットレスト部と脚の下側をマッサージする第二フットレスト部とに分割することの記載も示唆もない。
　
　したがって、甲第６号証に記載されたものには、甲第１号証記載の発明において、マッサージ機能を有するフットレストを脚の上側をマッサージする第一フットレスト部と脚の下側をマッサージする第二フットレスト部とに分割することの記載も示唆もなく、甲第８号証乃至甲第１０号証に記載されたものにも、甲第１号証記載の発明において、マッサージ機能を有するフットレストを脚の上側をマッサージする第一フットレスト部と脚の下側をマッサージする第二フットレスト部とに分割することの記載も示唆もない。
　
（オ）次に、甲第７号証には、ボトムフレームの前端部に揺動可能に支持され、斜め前方へ引き上げた状態の展開姿勢となることができるレッグレスト本体を有する座席用のレッグレスト装置において、前記レッグレスト本体が、レッグクッションとフットレスト本体を備え、前記レッグレスト本体に対して前後に移動自在な前記レッグクッションと、前記レッグレスト本体に対して前後に移動調整自在なフットフレームを有し、前記フットレスト本体は前記フットフレームに支持されており、前記レッグレスト本体が前方へ引き上げた状態で、前記レッグクッションとフットレスト本体がそれぞれ座席に対して前後に接離可能で、かつ、フットレスト本体がレッグクッションに対して前後方向に接離可能に構成されていることが記載されている。
　
　しかし、甲第７号証に記載されたものは、「レッグクッション」が移動自在であるが、移動調整自在であるとはいえないから、本件特許発明の「座部の前端下部に上下揺動自在として連結されている固定フレームと、前記固定フレームに対して前後に移動調整自在である第一スライドフレームと、前記第一スライドフレームに対して前後に移動調整自在である第二スライドフレームとを有」する構造とはいえない。また、甲第７号証に記載されたものは、マッサージ機能を有するフットレストに関するものでもないので、マッサージ機能を有するフットレストを脚の上側をマッサージする第一フットレスト部と脚の下側をマッサージする第二フットレスト部とに分割することは、甲第７号証には記載されていない。さらに、審判請求書で請求人が主張するように上記甲第７号証に記載されたものから、「フットレストを使用者の脚の長さに応じて分割調整する構成は」「優に周知技術というべき事項である」としても、フットレストとともにマッサージ機能も分割することを示唆するとはいえない。
　
　さらに、請求人が「使用者の所望位置をマッサージするためにエアバッグを複数配設する構成も」「周知技術というべき事項」と主張する根拠となる甲第８号証乃至甲第１０号証に記載されたものついても、上述したように、マッサージ機能を有するフットレストを脚の上側をマッサージする第一フットレスト部と脚の下側をマッサージする第二フットレスト部とに分割することの記載も示唆もない。
　
　したがって、甲第７号証に記載されたものには、甲第１号証記載の発明において、マッサージ機能を有するフットレストを脚の上側をマッサージする第一フットレスト部と脚の下側をマッサージする第二フットレスト部とに分割することの記載も示唆もなく、甲第８号証乃至甲第１０号証に記載されたものにも、甲第１号証記載の発明において、マッサージ機能を有するフットレストを脚の上側をマッサージする第一フットレスト部と脚の下側をマッサージする第二フットレスト部とに分割することの記載も示唆もない。
　
（カ）次に、甲第８号証には、上述したように、指圧装置において、大腿部、ふくらはぎ部及び足部をそれぞれ指圧する各指圧装置の指圧位置を変更できることが記載されている。
　
　しかし、甲第８号証に記載されたものは、本件特許発明の「座部の前端下部に上下揺動自在として連結されている固定フレームと、前記固定フレームに対して前後に移動調整自在である第一スライドフレームと、前記第一スライドフレームに対して前後に移動調整自在である第二スライドフレームとを有」する構造ではない。また、上述したように、甲第８号証には、マッサージ機能を有するフットレストを脚の上側をマッサージする第一フットレスト部と脚の下側をマッサージする第二フットレスト部とに分割することの記載も示唆もない。
　
　さらに、請求人が「使用者の所望位置をマッサージするためにエアバッグを複数配設する構成も」「周知技術というべき事項」と主張する根拠となる甲第９号証及び甲第１０号証に記載されたものついても、上述したように、マッサージ機能を有するフットレストを脚の上側をマッサージする第一フットレスト部と脚の下側をマッサージする第二フットレスト部とに分割することの記載も示唆もない。
　
　したがって、甲第８号証に記載されたものには、甲第１号証記載の発明において、マッサージ機能を有するフットレストを脚の上側をマッサージする第一フットレスト部と脚の下側をマッサージする第二フットレスト部とに分割することの記載も示唆もなく、甲第９号証及び甲第１０号証に記載されたものにも、甲第１号証記載の発明において、マッサージ機能を有するフットレストを脚の上側をマッサージする第一フットレスト部と脚の下側をマッサージする第二フットレスト部とに分割することの記載も示唆もない。
　
（キ）最後に、甲第１１号証には、病院などの治療用として使用されるベッド式椅子において、座体に伸縮動可能に取付けられかつ第１の足受け体角度調整部材により回動する第１の足受け体と、この第１の足受け体に伸縮動可能に取付けられかつ第２の足受け体角度調整部材により回動する第２の足受け体を備えることが記載されている。
　
　しかし、甲第１１号証に記載されたものは、本件特許発明の「第二スライドフレーム」を有する構造ではない。また、甲第１１号証に記載されたものは、マッサージ機能を有するフットレストに関するものでもないので、マッサージ機能を有するフットレストを脚の上側をマッサージする第一フットレスト部と脚の下側をマッサージする第二フットレスト部とに分割することは、甲第１１号証には記載されていない。さらに、審判請求書で請求人が主張するように上記甲第１１号証に記載されたものから、「フットレストを使用者の脚の長さに応じて分割調整する構成は」「優に周知技術というべき事項である」としても、フットレストとともにマッサージ機能も分割することを示唆するとはいえない。
　
　さらに、請求人が「使用者の所望位置をマッサージするためにエアバッグを複数配設する構成も」「周知技術というべき事項」と主張する根拠となる甲第８号証乃至甲第１０号証に記載されたものついても、上述したように、マッサージ機能を有するフットレストを脚の上側をマッサージする第一フットレスト部と脚の下側をマッサージする第二フットレスト部とに分割することの記載も示唆もない。
　
　したがって、甲第１１号証に記載されたものには、甲第１号証記載の発明において、マッサージ機能を有するフットレストを脚の上側をマッサージする第一フットレスト部と脚の下側をマッサージする第二フットレスト部とに分割することの記載も示唆もなく、甲第８号証乃至甲第１０号証に記載されたものにも、甲第１号証記載の発明において、マッサージ機能を有するフットレストを脚の上側をマッサージする第一フットレスト部と脚の下側をマッサージする第二フットレスト部とに分割することの記載も示唆もない。
　
（ク）まとめ
　以上のとおりであるから、甲第１号証記載の発明に、甲第３号証乃至甲第８号証又は甲第１１号証に記載されたもの、あるいは、当該記載されたものから、脚載置部が分割される構成が周知技術であり、当該構成を適用することが容易であるとしても、甲第１号証記載の発明のマッサージ機能を有するフットレストの空気式のマッサージ具が自然と各別に分割される脚載置部ごとに分割されることになるとはいえず、甲第８号証乃至甲第１０号証に記載されたもの、あるいは、当該記載されたものから、マッサージ機に関する技術分野において、使用者の種々の場所に複数のマッサージ具を配置する構成が周知技術であり、当該構成を適用することが容易であるとしても、甲第１号証記載の発明のマッサージ機能を有するフットレストの空気式のマッサージ具が自然と各別に分割される脚載置部ごとに分割されることになるとはいえない。
　よって、甲第１号証記載の発明に、甲第３号証乃至甲第１１号証に記載されたもの、又は、周知技術を適用して、相違点に係る本件特許発明の構成とすることが当業者にとって容易であるとはいえない。
　したがって、本件特許発明は、甲第１号証記載の発明、及び、甲第３号証乃至甲第１１号証に記載されたもの、又は、周知技術に基いて、当業者が容易に発明をすることができたものとすることはできない。
　
　
Ｖ．むすび
　以上のとおりであるから、請求人の主張する理由及び提出した証拠方法によっては本件特許発明に係る特許を無効にすることはできない。
　審判に関する費用については、特許法第１６９条第２項の規定で準用する民事訴訟法第６１条の規定により、請求人が負担すべきものとする。
　よって、結論のとおり審決する。